(57)【特許請求の範囲】
【請求項１】
取付枠と、該取付枠の窓孔から前面を露出させるとともに窓孔の一部を占有した状態で取付枠に取り付けられるスイッチ本体、及び窓孔の全体部を閉塞する大きさに形成されスイッチ本体の前面に取り付けられる操作用のハンドルを備えるスイッチ装置とを具備し、
ハンドルは、その一部に扉部が設けられ、当該扉部を開くことで前記窓孔の内で前記スイッチ本体に隣接する取付用スペースが露出することを特徴とする配線器具。
【請求項２】
前記取付用スペースにはコンセント装置が配設され、コンセント装置は、機能面を前面に備えるとともに前後方向に移動自在に構成されたコンセント本体を有し、前記ハンドルの一部には、コンセント本体の前面が突出される開口部と、開口部を開閉する扉部とが設けられ、コンセント本体を前方へ移動させた際に、コンセント本体の前面はハンドルの最前面よりも前方へ位置していることを特徴とする請求項１に記載の配線器具。
【請求項３】
扉部の開き動作に伴なってコンセント本体を前方へ移動させ、扉部の閉じ動作に伴なってコンセント本体を後方へ移動させるコンセント移動手段を備えていることを特徴とする請求項２に記載の配線器具。
【請求項４】
コンセント本体の前面がハンドルの最前面よりも前方に位置するまでコンセント本体を前方へ移動させた際に、コンセント本体が後方へ移動しないようにコンセント本体をハンドルに係止させる係止手段を備えていることを特徴とする請求項２又は３に記載の配線器具。
【請求項５】
扉部は、扉部を閉じた際に、係止手段によるコンセント本体とハンドルとの係止状態を解除する係止解除手段を備えていることを特徴とする請求項４に記載の配線器具。
【請求項６】
コンセント装置に並設されて当該コンセント装置と共に機能面を前面にして設けられるスイッチ本体と、スイッチ本体及びコンセント装置の前面を覆い前記スイッチ本体に取り付けられてスイッチ本体をオンオフ操作するハンドルとを備え、
前記ハンドルは、扉部を有し当該扉部を開くことでコンセント装置が露出することを特徴とする配線器具。
【発明の詳細な説明】
【技術分野】
【０００１】
本発明は、ハンドルにより操作されるスイッチ装置を具備する配線器具に関する。
【背景技術】
【０００２】
従来から、取付枠と、取付枠の窓孔から前面を露出させた状態で取付枠に取り付けられるスイッチ本体、及び窓孔を閉塞するようにしてスイッチ本体の前面に着脱自在に取り付けられるスイッチ操作用のハンドルを備えるスイッチ装置と、窓孔から前面を露出させた状態で取付枠に取り付けられるコンセント装置とを具備する配線器具が提供されている（特許文献１）。
【特許文献１】特開２００３−４５２８０号公報（第１図）
【発明の開示】
【発明が解決しようとする課題】
【０００３】
上記の特許文献１は、通常時はスイッチ装置のハンドルでコンセント装置を覆うようになっているので、スイッチ操作時に使用者の指がコンセント装置の充電部に触れて感電してしまうことを防止できる。また、コンセント装置を使用する際には、ハンドルをスイッチ本体から取り外すことで、コンセント装置を使用することができるようになっている。
【０００４】
しかしながら、特許文献１では、コンセント装置を使用する度にハンドル自体の着脱作業を行わなくてはならず、この作業が非常に煩わしく手間であった。また、ハンドルを取り外した際には、スイッチ装置の操作性が悪化してスイッチ操作が行い難くなるため、非常に不便であるという問題があった。
【０００５】
本発明は上述の点に鑑みて為されたもので、その目的は、ハンドルの着脱作業を行うことなく他の装置を使用でき、他の装置の使用中であってもスイッチ装置の操作性が悪化することがない配線器具を提供することである。
【課題を解決するための手段】
【０００６】
上述の課題を解決するために、請求項１の配線器具の発明では、取付枠と、該取付枠の窓孔から前面を露出させるとともに窓孔の一部を占有した状態で取付枠に取り付けられるスイッチ本体、及び窓孔の全体部を閉塞する大きさに形成されスイッチ本体の前面に取り付けられる操作用のハンドルを備えるスイッチ装置とを具備し、ハンドルは、その一部に扉部が設けられ、当該扉部を開くことで前記窓孔の内で前記スイッチ本体に隣接する取付用スペースが露出することを特徴とする。
【０００７】
請求項１の配線器具の発明によれば、取付枠の窓孔の全体部を閉塞する大きさに形成されたハンドルを備えるので、スイッチ装置の操作を容易に行うことができる。また、スイッチ本体に隣接する窓孔の取付用スペースに配設される装置をハンドルで覆うことができるので、このような装置に埃がたまったりすることを防止できる。さらに、ハンドルは窓孔の取付用スペースに対応する一部が開閉自在となっているので、ハンドルの一部を開くだけで取付用スペースに配設してある装置を使用でき、装置の使用が終わった際には、ハンドルの一部を閉じればよいから、従来のように装置を使用する毎にハンドルの着脱作業を行わなくて済む。加えて、ハンドルの一部を開いた状態であっても、ハンドルを用いてスイッチ装置の操作を行えるから、スイッチ装置の操作性が悪化することがない。
【０００８】
請求項２の配線器具の発明では、請求項１の構成に加えて、前記取付用スペースにはコンセント装置が配設され、コンセント装置は、機能面を前面に備えるとともに前後方向に移動自在に構成されたコンセント本体を有し、前記ハンドルの一部には、コンセント本体の前面が突出される開口部と、開口部を開閉する扉部とが設けられ、コンセント本体を前方へ移動させた際に、コンセント本体の前面はハンドルの最前面よりも前方へ位置していることを特徴とする。
【０００９】
請求項２の配線器具の発明によれば、ハンドルの扉部によりコンセント装置を覆うことができるので、スイッチ装置を操作する際に誤ってコンセント装置の充電部に触れて、感電等をしてしまうことを防止できる。また、埃等がコンセント装置の極間にたまることを抑制できるから、これによりトラッキングによる火災等が発生することを防止することができる。さらに、ハンドルの扉部を開けることで開口部を通じてコンセント本体をハンドルの前面に露出させることができ、またコンセント本体をその前面がハンドルの最前面よりも前方へ位置するまで移動させることができるので、プラグのコンセント本体への接続を容易に行うことができる。
【００１０】
請求項３の配線器具の発明では、請求項２の構成に加えて、扉部の開き動作に伴なってコンセント本体を前方へ移動させ、扉部の閉じ動作に伴なってコンセント本体を後方へ移動させるコンセント移動手段を備えていることを特徴とする。
【００１１】
請求項３の配線器具の発明によれば、扉部の開け閉めに連動してコンセント本体が移動するので、使い易さを向上することができる。
【００１２】
請求項４の配線器具の発明では、請求項２又は３の構成に加えて、コンセント本体の前面がハンドルの最前面よりも前方に位置するまでコンセント本体を前方へ移動させた際に、コンセント本体が後方へ移動しないようにコンセント本体をハンドルに係止させる係止手段を備えていることを特徴とする。
【００１３】
請求項４の配線器具の発明によれば、コンセント本体の前面がハンドルの最前面よりも前方に位置するまでコンセント本体を前方へ移動させた際にコンセント本体が後方へ移動しないようになっているので、プラグ等のコンセント本体への接続時に、プラグの押し込みによってコンセント本体が後退してしまうことがなくなり、これによりプラグの接続作業を容易に行うことができる。
【００１４】
請求項５の配線器具の発明では、請求項４の構成に加えて、扉部は、扉部を閉じた際に、係止手段によるコンセント本体とハンドルとの係止状態を解除する係止解除手段を備えていることを特徴とする。
【００１５】
請求項５の配線器具の発明によれば、扉部を閉じるだけで係止手段による係止状態を解除することができるので、係止手段による係止状態を解除するための操作を別途行う必要が無くなり、これにより使い易さを向上することができる。
請求項６の配線器具の発明では、コンセント装置に並設されて当該コンセント装置と共に機能面を前面にして設けられるスイッチ本体と、スイッチ本体及びコンセント装置の前面を覆い前記スイッチ本体に取り付けられてスイッチ本体をオンオフ操作するハンドルとを備え、前記ハンドルは、扉部を有し当該扉部を開くことでコンセント装置が露出することを特徴とする。
請求項６の配線器具の発明によれば、スイッチ本体をオンオフ操作するハンドルによってコンセント装置を覆うことができるので、当該コンセント装置に埃がたまったりすることを防止できる。さらに、ハンドルは、コンセント装置に対応する箇所に扉部が形成されているため、扉部を開くだけでコンセント装置を使用でき、コンセント装置の使用が終わった際には、扉部を閉じればよい。即ち、従来のようにコンセント装置を使用する毎にハンドルの着脱作業を行わなくて済む。加えて、扉部を開いた状態であっても、ハンドルを用いてスイッチ装置の操作を行えるから、スイッチ装置の操作性が悪化することがない。
【発明の効果】
【００１６】
本発明は、取付枠の窓孔の全体部を閉塞する大きさに形成されたハンドルを備えるので、スイッチ装置の操作を容易に行うことができ、また取付用スペースに配設される装置をハンドルで覆うことができるので、このような装置に埃がたまったりすることを防止でき、さらにハンドルは窓孔の取付用スペースに対応する一部が開閉自在となっているので、ハンドルの一部を開くだけで取付用スペースに配設してある装置を使用でき、装置の使用が終わった際にはハンドルの一部を閉じればよいから、従来のように装置を使用する毎にハンドルの着脱作業を行わなくて済み、加えてハンドルの一部を開いた状態であっても、ハンドルを用いてスイッチ装置のスイッチ操作を行えるから、スイッチ装置の操作性が悪化することがないという効果がある。
【発明を実施するための最良の形態】
【００１７】
以下、本発明の実施形態について図１〜図５を参照して説明する。尚、以下の本実施形態の説明では、図３（ａ）の上方を配線器具１の上方とし、図３（ａ）の下方を配線器具１の下方とし、図３（ａ）の右方を配線器具１の左方とし、図３（ａ）の左方を配線器具１の右方とし、図３（ａ）の紙面奥方を配線器具１の後方とし、図３（ａ）の紙面手前方を配線器具１の前方とする。
【００１８】
本実施形態の配線器具１は、図１（ａ），（ｂ）に示すように、取付枠２と、該取付枠２の窓孔２ａから前面を露出させるとともに窓孔２ａの一部を占有した状態で取付枠２に取り付けられるスイッチ本体３、及び窓孔２ａの全体部を閉塞する大きさに形成されスイッチ本体３の前面に取り付けられる操作用のハンドル４を備えるスイッチ装置５と、機能面を前面に備えるとともに前後方向に移動自在に構成されたコンセント本体６を有し、スイッチ本体３に隣接する窓孔２ａの取付用スペース２ｂに配設されるコンセント装置８とを具備し、取付用スペース２ｂに対応するハンドル４の一部は、コンセント本体６の前面が突出される開口部４２と、開口部４２を開閉する扉部４１とが設けられている。
【００１９】
まず、取付枠２について説明する。この取付枠２は、ＪＩＳ規格で規格化されている大角形連用配線器具の１連用のものであり、単位寸法（所謂１個モジュール寸法）のスイッチ装置やコンセント装置等を３個まで取り付けることができるようになっている。さらに詳しく説明すると、取付枠２は、図３（ａ），（ｄ）に示すように、互いに並行する長尺状の一対の枠片２０，２０の上端部同士及び下端部同士をそれぞれ横片２１，２１で連続一体に結合することによって、スイッチ装置５やコンセント装置８等をそれらの前面を露出させた状態で取り付けることができる長方形状の窓孔２ａを中央部に備えた縦長の矩形枠状に形成されている。また、各枠片２０，２０には、図３（ｂ），（ｅ）に示すように、後方へ突出する保持片２２，２２が一体に設けられており、各保持片２２，２２には、装置取り付け用の一対の係止孔２２ａ，２２ａが上下方向に所定距離を隔てて３組設けられている。一方、取付枠２の各横片２１，２１の中央部には、取付枠２を壁面などの施工面に埋込配置された埋め込みボックス（図示せず）等に取り付けるためのボックスねじ（図示せず）を挿通するボックス用孔２１ａや、取付枠２を隠蔽して見栄えをよくするための化粧プレート（図示せず）等を取り付けるためのプレートねじ（図示せず）が螺着されるプレートねじ孔２１ｂ等が設けられている。
【００２０】
次に、取付枠２に取り付けられるスイッチ装置５及びコンセント装置８について説明する。
【００２１】
スイッチ装置５は、図２（ａ）に示すように、取付枠２に取り付けられるスイッチ本体３と、スイッチ本体３の前面に取り付けられるスイッチ本体３の操作用のハンドル４とを備えており、スイッチ本体３の外形寸法は、窓孔２ａからスイッチ本体３の前面が露出する形で最大３個まで連設して取付枠２に取り付けることができるように寸法設定された単位寸法（１個モジュール寸法）に形成されている。このスイッチ本体３の前面の左側には、スイッチ操作用の機構、例えば押釦ハンドル（図示せず）が設けられており、押釦ハンドルが押し込まれる度にオンオフが切り換わるようになっている。また、スイッチ本体３の前面の右端側には、上下方向を回転軸としてハンドル４を回動自在に枢着するための一対の軸部（図示せず）が前方に突設されるとともに、スイッチのオンオフ状態をＬＥＤの点灯状態によって表示するための発光部（図示せず）が設けられている。さらに、スイッチ本体３の左右両側面には、取付枠２の各保持片２２に設けられた一対の係止孔２２ａ，２２ａに夫々係止される一対の係止爪３ａ，３ａが突設されており、この係止爪３ａを取付枠２の係止孔２２ａに係止させることでスイッチ本体３を取付枠２に取り付けることができるようになっている。一方、スイッチ本体３の裏面には、図２（ｂ）に示すように、商用電源等の交流電源ＡＣ用の電源用端子５ａと、照明等の負荷Ｒ用の負荷用端子５ｂと、コンセント装置８用の送り用端子５ｃとが設けられており、これらの端子５ａ〜５ｃは例えば速結端子となっている。
【００２２】
ハンドル４は、図３（ａ）〜（ｆ）に示すように、取付枠２の窓孔２ａの全体部を閉塞する大きさ（本実施形態では約３個モジュール寸法の大きさ）に形成されてスイッチ本体３の前面に取り付けられる矩形状のベース４０と、ベース４０に取り付けられる扉部４１とを備えている。ベース４０の前面部は、取付用スペース２ｂに配設されるコンセント装置８に対応する一部、つまりベース４０の下部４０ｂの前面位置が、スイッチ装置５に対応する一部、つまりベース４０の上部４０ａの前面位置よりも後方に位置するような段形状となっている。このベース４０の上部４０ａには、矩形状の表示窓４０ｃが設けられており、表示窓４０ｃを通じてスイッチ本体３の発光部の表示を確認できるようになっている。また、ベース４０の下部４０ｂには、少なくともコンセント本体３の前面が突出される開口部４２が形成されるとともに、同下部４０ｂの右端側には、上下方向を回転軸として扉部４１を回動自在に枢着するための一対の軸受け部４３，４３が形成されている。一方、ベース４０の後面部には、ハンドル４をスイッチ本体３の一対の軸部（図示せず）に軸支するための軸受け部（図示せず）が形成されており、この軸受け部にスイッチ本体３の軸部を軸支させることで、ハンドル４をスイッチ本体３に上下方向を回転軸として回動自在に取り付けることができるようになっている。
【００２３】
扉部４１は、開口部４１を開閉するためのものであり、ベース４０の下部４０ｂの前面を覆うことができる程度の大きさを有するとともに、ベース４０の上部４０ａの前面と下部４０ｂの前面との間の長さ寸法程度の厚み寸法を有する矩形板状に形成されている。また、扉部４１の後面の右端部には、ベース４０の一対の軸受け部４３，４３にそれぞれ軸支される軸部（図示せず）を備えた突出部４１ａ，４１ａが形成されている。さらに、扉部４１の後面の右端部には、図４（ａ）に示すように、コンセント本体６を前方へ移動させるための引き出し用突部４４が突設されるとともに、コンセント本体６を後方へ移動させるための押し込み用突部４５が突設されている。加えて、引き出し用突部４４の上下両面からは、解除用突部４６，４６が一体に突設されている。そして、扉部４１は、突出部４１ａ，４１ａをベース４０の一対の軸受け部４３，４３に夫々軸支させることでベース４０に上下方向を回転軸として回動自在に枢着されている。また、扉部４１は、図３（ｃ），（ｆ）に示すように、少なくとも１８０度以上回動できるようにして、扉部４１を開いた状態では、扉部４１がハンドル４の最前面（上部４０ａの前面）よりも前方に位置しないようにしている。
【００２４】
このように構成されたハンドル４は、所謂片持ち型のピアノハンドルとして回動自在にスイッチ本体３に枢着され、スイッチ装置５を取付枠２に取り付けた際には、扉部４１を開くことで開口部４２を通じて窓孔２ａの取付用スペース２ｂを露出させることができ、また、扉部４１を閉めることで開口部４２を閉塞することができるようになっている。つまり、ハンドル４はスイッチ本体３に隣接する窓孔２ａの取付用スペース２ｂを露出させるように一部が開閉自在に構成されているのである。
【００２５】
コンセント装置８は、コンセント本体６と、コンセント本体６が前後方向に移動自在に収納されるとともに取付枠２に取り付けられるコンセントスライド用ケース（以下、単にケースという）７とを備えている。コンセント本体６は、例えばＡ型プラグの各栓刃（図示せず）がそれぞれ挿入される一対の栓刃挿入口６ａ，６ｂを有する機能面を前面に備えており、コンセント本体６内には、上記のプラグの各栓刃に対応する刃受が収納されている。一方、コンセント本体６の後面には、上記の刃受に電源線を接続するための電源用端子（図示せず）が設けられている。
【００２６】
ケース７は、コンセント本体６を取付枠２に対して前後方向に移動自在に取り付けるためのものであり、図３（ｆ）に示すように、取付枠２に取り付けられる外殻部７０と、コンセント本体６が固定されるとともに、外郭部７０に前後方向に移動自在に収納される内殻部７１とで構成されている。外殻部７０は、例えば合成樹脂を用いて前面が開口した箱状に形成されるとともに、その外形寸法が１個モジュール寸法に形成されている。また、外殻部７０の左右両側面には、取付枠２の保持片２２に設けられた一対の係止孔２２ａ，２２ａに夫々係止される一対の係止爪７０ａ，７０ａが突設されており、この係止爪７０ａを取付枠２の係止孔２２ａに係止させることでケース７を取付枠２に取り付けることができるようになっている。さらに、外殻部７０の後面部にはコンセント本体６の電源用端子を外部に臨ませる孔部（図示せず）が設けられている。加えて、外殻部７０の左内側面は、前方へ行くほど左方へ広がるように傾斜した傾斜面となっている。
【００２７】
内殻部７１は、図３（ｆ）に示すように、例えば合成樹脂を用いて略Ｌ字状に形成され、コンセント本体６が固定される台部７１ａと、台部７１ａの右端部から前方へ突出する突片７１ｂとを一体に備えている。ここで、台部７１ａには、外殻部７０と同様にコンセント本体６の電源用端子を外部に臨ませる孔部（図示せず）が設けられている。また、突片７１ｂの前端部には、図３（ｄ）に示すように、右方へ湾曲した略Ｊ字状の鉤部７２が設けられており、扉部４１を開く際には扉部４１の引き出し用突部４４がこの鉤部７２に引っ掛かかり、扉部４１の開き動作に伴なって内殻部７１が前方へ移動するようにしている。また、扉部４１を閉じる際には扉部４１の押し込み用突部４５がこの鉤部７２を押圧し、扉部４１の閉じ動作に伴なって内殻部７１が後方へ移動するようにしている。加えて、突片７１ｂの前端部には、鉤部７２を上下から挟むように一対の突部７３，７３が設けられている。この突部７３は、左右方向に所定の弾性力を有するように形成されるとともに、前端部には後方へいくほど右方へ突出するテーパ面７４ａを有する係止部７４を備えている。この係止部７４は、内殻部７１が前方へ移動して所定位置に位置したときに、ハンドル４の開口部４２の縁部に係止されるようになっており、これら係止部７４とハンドル４からなる係止手段により内殻部７１の後方への移動が規制されるようにしている。
【００２８】
以上述べた取付枠２と、スイッチ本体３及びハンドル４からなるスイッチ装置５と、コンセント本体６及びケース７からなるコンセント装置８とで本実施形態の配線器具１は構成されており、これらは次のようにして取り付けられている。
【００２９】
スイッチ本体３は、取付枠２の保持片２２，２２の各一対の係止孔２２ａ，２２ａに夫々係止爪３ａ，３ａを係止させることで、取付枠２の窓孔２ａの中央部に、窓孔２ａからスイッチ本体３の前面を露出させた状態で取り付けられている。ここで、スイッチ本体３の外形寸法は１個モジュール寸法であるから、窓孔２ａの下部が、スイッチ本体３に隣接する窓孔２ａの取付用スペース２ｂとなっている。そして、ハンドル４は、スイッチ本体３の軸部をハンドル４のベース４０の後面部に形成された軸受け部（図示せず）にそれぞれ軸支させることでスイッチ本体３に枢着されている。以上によりスイッチ装置５が取付枠２に取り付けられ、このスイッチ装置５を取付枠２に取り付けた際には、ハンドル４によって取付枠２の窓孔２ａの全部が閉塞されることになるが、ハンドル４の扉部４１を開いてハンドル４の開口部４２を露出させることで、開口部４２ａを通じて窓孔２ａの取付用スペース２ｂを露出させることができるようになっている。
【００３０】
コンセント本体６は、機能面となる前面側がケース７の前面開口から外部に臨むとともに後面側がケース７の内殻部７１の台部７１ａに固定された状態でケース７内に収納され、これにより内殻部７１とともにコンセント本体６は前後移動することになる。このようにコンセント本体６が収納されたケース７は、取付枠２の保持片２２，２２の各一対の係止孔２２ａ，２２ａに夫々係止爪７０ａ，７０ａを係止させることで、窓孔２ａの取付用スペース２ｂに、該取付用スペース２ｂからコンセント本体６の前面を露出させた状態で配設され、これによりコンセント装置８が取付枠２に取り付けられている。このようにしてコンセント装置８を取付枠２に取り付けた際には、コンセント装置８の前面及びケース７の鉤部７２及び突出部７３，７３の前端面がハンドル４の開口部４２に臨むようになっている。そして、コンセント装置８の電源用端子は、絶縁被覆された編組線（図示せず）等を用いて、図２（ｂ）に示すように、スイッチ装置５の送り用端子５ｃに電気的に接続され、これにより交流電源ＡＣからの電力をプラグ側へ供給できるようになっている。また、比較的柔らかく可撓性を有する編組線を用いてスイッチ装置５とコンセント装置８とを接続することにより、コンセント装置８のコンセント本体６が前後に移動した際に接続外れや接続不良等の悪影響が生じることを防止している。
【００３１】
以上により図１（ｂ）に示す本実施形態の配線器具１は構成され、次に本実施形態の配線器具１の動作について説明する。
【００３２】
配線器具１は、例えば図２（ｂ）に示すようにスイッチ装置５の電源用端子５ａに商用電源のような交流電源ＡＣが接続されるとともに、負荷用端子５ｂに照明器具のような負荷Ｒが接続された状態で使用される。この配線器具１は、通常時は、図３（ａ）〜（ｃ）に示すように、扉部４１を閉めてコンセント本体６の前面を隠した状態で使用される。そして、ハンドル４の前面を押圧することでハンドル４の後面によりスイッチ本体３の押釦ハンドル（図示せず）が押圧されるので、ハンドル４の押し操作により、スイッチ装置５のオンオフを切り換えることができ、これにより負荷Ｒへの給電がオンオフされるとともに、負荷Ｒへの給電状態に応じて発光部のＬＥＤが点灯／消灯する。このように扉部４１が閉められている際には、コンセント本体６は、図３（ｃ）に示すようにケース７内の後方に位置するとともに、その前面がスイッチ本体３の前面と略同一平面上に位置するように設定してあり、ハンドル４を操作してもハンドル４とコンセント本体６とが接触しないようになっている。
【００３３】
一方、コンセント装置８を使用したい場合は、ハンドル４の扉部４１を開けばよい。ここで、ハンドル４の扉部４１を開いていくと、図４（ａ）に示すように、扉部４１の引き出し用突部４４がケース７の内殻部７１の鉤部７２に引っ掛かる。さらに扉部４１を開いていくと、扉部４１の開き動作に伴って引き出し用突部４４が扉部４１と同方向へ回動していき、これにより引き出し用突部４４によって内殻部７１が前方へ引き出され、同時にコンセント本体６も前方へ引き出される。このとき、内殻部７１の各突部７３，７３は、ハンドル４後面側の開口部４２の縁部によって係止部７４のテーパ面７４ａが押圧されることで左方へ付勢された状態で前方へ引き出される。そして、扉部４１を完全に（本実施形態では１８０度）開いた際には、図３（ｄ）〜（ｆ）に示すように、コンセント本体６は、その前面がハンドル４の最前面（つまりは上部４０ａの前面）よりも前方へ位置するようになっている。また、コンセント本体６が前述の位置まで引き出された際には、ハンドル４後面側の開口部４２の縁部による付勢が解除されて、突部７３は自身の弾性力によって右方へ移動し、これにより図３（ｆ）に示すように係止部７４が開口部４２の縁部に係止されて、内殻部７１の後方への移動が規制される。つまり、扉部４１を開くだけでコンセント本体６を前方へ引き出すことができ、しかもコンセント本体６が引き出された際には、後方への移動が規制されるようになっているのである。ここで、内殻部７１は、引き出し用突部４４の回動によって前方へ引き出されるため、内殻部７１には鉤部７２を回転中心とするような力がかかり、コンセント本体６の左側面と外殻部７０の左内側面との間に突っかかりが生じる場合があるが、本実施形態では上述したように外殻部７０の左内側面を所定の勾配を有する傾斜面としているので、コンセント本体６と外殻部７０との間の突っかかりを低減してコンセント本体６をスムーズに前方へ引き出せるようにしている。
【００３４】
そして、このようにしてコンセント本体６をハンドル４の開口部４２から露出させた場合、例えば図５（ａ）に示すような充電器９をコンセント装置８に接続することができる。この接続時には、コンセント装置６は後方へと付勢されるが、上述の係止部７４及びハンドル４からなる係止手段により内殻部７１の後方への移動が規制されているので、コンセント本体６が後方へ移動してしまうことがない。また、上述したようにコンセント本体６の前面が、ハンドル４の上部４０ａの前面よりも前方へ位置するとともに、扉部４１が１８０度以上開くようになっているので、プラグの抜き差しが行いやすく、さらに一般的なＡ型プラグや充電器９よりも大型なＡＣプラグであっても、ハンドル４や扉部４１等が邪魔になることなくコンセント装置６に確実に接続することができる。しかも、このようにコンセント装置６の前面を露出させた状態でも、ハンドル４の前面を押圧することでスイッチ装置５のオンオフを切り換えることができるので、スイッチ装置５の操作性が悪くなることがない。
【００３５】
コンセント装置８を使用する必要がなくなった場合には、再びハンドル４の扉部４１を閉めればよい。ここで、ハンドル４の扉部４１を閉めていくと、図４（ｂ）に示すように、扉部４１の解除用突部４６，４６が係止部７４のテーパ面７４ａに当接する。そして、このまま扉部４１の閉め動作を続けていくと、扉部４１の回動に伴なって解除用突部４６，４６も回動し、これによって係止部７４が左方へ付勢されて係止部７４と開口部４２の縁部との係止状態が解除される。つまり、これら解除用突部４６，４６が係止手段の係止状態を解除する係止解除手段となっているのである。この後に、扉部４１をさらに閉めていくと、やがて扉部４１の押し込み用突部４５が鉤部７２に当接し、扉部４１の閉め動作に伴なって押し込み用突部４５が鉤部７２を後方へ押し込み、これによって内殻部７１が後方へと移動する。また、この内殻部７１の移動に伴なってコンセント本体６も後方へ移動していく。そして、扉部４１を完全に閉めた際には、配線器具１は、図３（ａ）〜（ｃ）に示すような通常時に戻る。尚、コンセント本体６の押し込み時においても、上述したように外殻部７０の左内側面を所定の勾配を有する傾斜面としていることにより、コンセント本体６と外殻部７０との間の突っかかりを低減してコンセント本体６をスムーズに後方へ押し込むことができるようにしている。
【００３６】
以上述べた本実施形態の配線器具１によれば、取付枠２の窓孔２ａの全体部を閉塞する大きさに形成されたハンドル４を備えるので、スイッチ装置５の操作を容易に行うことができる。また、スイッチ本体３に隣接する窓孔２ａの取付用スペース２ｂに配設されるコンセント装置８をハンドル４で覆うことができるので、スイッチ装置５を操作する際に誤ってコンセント装置８の充電部に触れて、感電等をしてしまうことを防止できる。また、埃等がコンセント装置８の極間にたまることを抑制できるから、これによりトラッキングによる火災等が発生することを防止することができる。
【００３７】
さらに、ハンドル４は窓孔２ａの取付用スペース２ｂに対応する一部である下部４０ｂが開閉自在となっているので、ハンドル４の扉部４１を開くだけで取付用スペース２ｂに配設してあるコンセント装置８を使用でき、コンセント装置８の使用が終わった際には、ハンドル４の扉部４１を閉じればよいから、従来のようにコンセント装置を使用する毎にハンドルの着脱作業を行わなくて済む。加えて、ハンドル４の扉部４１を開いた状態であっても、ハンドル４を用いてスイッチ装置５の操作を行えるから、スイッチ装置５の操作性が悪化することがない。
【００３８】
また、配線器具１はスイッチ装置５とコンセント装置８とを備えるので、例えば配線器具１を一般的なスイッチ装置が設置される高さ位置に設置すれば、コンセント装置８にプラグを接続する際に腰をかがめたりする必要がなくなり、これによりプラグの抜き差しを容易に行うことができる。そのため、常時プラグをコンセントに接続せずに使用時にのみプラグを接続するような機器や、プラグの着脱の多い機器、例えば掃除機や、シェーバー、デジタルカメラ、ビデオカメラ等のバッテリー充電器等を使用する際に非常に便利である。特に、既設のコンセントに上記の機器を接続しようとした場合には、既にコンセントが埋まってしまっている場合が多く必要なときに使用できないことがあるが、本実施形態の配線器具１を用いれば、必要に応じてコンセント装置８を使用できるため、このような問題も解決することができる。
【００３９】
さらに、ハンドル４の扉部４１を開けて、コンセント装置８を開口部４２を通じてハンドル４の前面に露出させた際には、またコンセント本体６をその前面がハンドル４の最前面よりも前方へ位置するまで移動させることができ、しかも扉部４１を開いた状態では扉部４１がハンドル４の最前面よりも前方に位置しないようにしているので、プラグのコンセント装置８への接続を容易に行え、しかもＡＣアダプタや、デジタルカメラ、ビデオカメラのバッテリーの充電器等の大型のプラグでも、ハンドル４や扉部４１が邪魔になることなくコンセント装置８に確実に接続することができる。
【００４０】
加えて、扉部４１の開け閉めに連動してコンセント本体６が移動するので、使い易さを向上することができる。また、コンセント本体６を前方へ引き出してコンセント本体６の前面がハンドル４の最前面よりも前方に位置させた際には、上記の係止手段によってコンセント装置６が後方へ移動しないようになっているので、プラグ等をコンセント装置６に接続する際に、プラグの押し込みによってコンセント装置６が後退してしまうことがなくなり、これによりプラグの接続作業を容易に行うことができる。しかも、扉部４１を閉じるだけで係止手段による係止状態を解除する係止解除手段を備えるので、係止手段による係止状態を解除するための操作を別途行う必要が無くなり、これにより使い易さを向上することができる。
【００４１】
尚、本実施形態では、扉部４１は、窓孔２ａ下部の取付用スペース４ｂに対応するようにハンドル４の下部４０ｂに設けられているが、窓孔２ａ上部の取付用スペース（図示せず）に設けるようにしてもよく、扉部４１を設ける位置や数は、取付枠２へのスイッチ装置５の取り付け位置に応じて適宜変更すればよい。また本実施形態の扉部４１は、上下方向を回転軸としてハンドル４のベース４０の右端部に回動自在に取り付けられているが、これに限らず、ベース４０の左端部に回動自在に取り付けるようにしてもよいし、左右方向を回転軸とするようにしてもよい。また、左右にスライドするようにしてもよい。
【００４２】
また尚、本実施形態では、スイッチ装置５に加えてコンセント装置８を取付枠２に取り付けているが、取付枠２に取り付ける装置としては、コンセント装置８に限らず、タイマー装置や、モジュラジャック装置等、状況に応じて好適な装置を用いることができ、これらに対してもコンセント装置８と同様にハンドル４の一部を開くことで前方へ露出自在となるようにしてもよい。
【図面の簡単な説明】
【００４３】
【図１】（ａ）は、本発明の配線器具の扉部を開けた状態の斜視図であり、（ｂ）は、本発明の配線器具の扉部を閉めた状態の斜視図である。
【図２】（ａ）は、本発明の配線器具に用いるスイッチ装置の側面図であり、（ｂ）は、本発明の配線器具の配線説明図である。
【図３】（ａ）は、本発明の配線器具の扉部を閉めた状態の前面図であり、（ｂ）は、本発明の配線器具の扉部を閉めた状態の側面図であり、（ｃ）は、本発明の配線器具の扉部を閉めた状態の下面図であり、（ｄ）は、本発明の配線器具の扉部を開けた状態の前面図であり、（ｅ）は、本発明の配線器具の扉部を開けた状態の側面図であり、（ｆ）は、本発明の配線器具の扉部を開けた状態の下面図である。
【図４】（ａ）は、本発明の配線器具の要部の説明図であり、（ｂ）は、本発明の配線器具の要部の説明図である。
【図５】（ａ）は、本発明の配線器具の使用例の前面図であり、（ｂ）は、本発明の配線器具の使用例の側面図である。
【符号の説明】
【００４４】
１    配線器具
２    取付枠
２ａ  窓孔
２ｂ  取付用スペース
３    スイッチ本体
４    ハンドル
４１  扉部
４２  開口部
５    スイッチ装置
６    コンセント本体
８    コンセント装置
【図１】
0004639991.tif 000002
【図２】
0004639991.tif 000003
【図３】
0004639991.tif 000004
【図４】
0004639991.tif 000005
【図５】
0004639991.tif 000006